(57)【要約】【課題】本発明が解決しようとする課題は、略楕円形状の照明装置において、光源の数を増やすことなく、光源とは反対側に位置して曲率半径が小さくなる長径部近傍においても、内側に全反射する光量が減少したり、それにより暗くなったり、光ムラが発生したりしないような照明装置を提供することにある。【解決手段】この課題を解決する為に、複数の操作キーを避けて照明部材（３）の内側の一端から筒の他端を結ぶブリッジ（７）を設け、光源（６）と反対側の曲率半径が小さくなる長径近傍（１０）において、略楕円筒内を通る光が略楕円筒外周部の内壁に当たる時の入射角が大きくなる為、略楕円筒内側に全反射する光量が減少し暗くなるが、ブリッジ（７）により、この暗くなる長径近傍に光を補充するようにする。【選択図】  図２
2004327392.tif 000002
【特許請求の範囲】
【請求項１】
突出陥没が可能な複数の操作キーと、
前記複数の操作キーの突出陥没を案内する為の孔が設けられ、透明な成形部材によって形成される略円形の筒と、
前記略円形の筒を貫通した前記複数の操作キーの突出陥没部を突出させる孔が設けられているフロントパネルと、
前記略円形の筒の円周上の任意の箇所に設けられた光導部と、
前記光導部の位置に設けられる光源と、
からなる照明装置において、
前記複数の操作キーを避けて前記略円形の筒の一端から同筒の他端を結ぶブリッジを設けていることを特徴とする照明装置。
【請求項２】
請求項１記載のブリッジが、前記略円形の筒の光導部付近から、該光導部付近と、略円形の中心に対して略対称の他端とを結んでいることを特徴とする照明装置。
【請求項３】
突出陥没が可能な複数の操作キーと、
前記複数の操作キーの突出陥没を案内する為の孔が設けられ、透明な成形部材によって形成される略楕円形の筒と、
前記略楕円形の筒を貫通した前記複数の操作キーの突出陥没部を突出させる孔が設けられているフロントパネルと、
前記略楕円形の筒の長径の一端部に設けられた光導部と、
前記光導部の位置に設けられる光源と、
からなる照明装置において、
前記複数の操作キーを避けて前記略楕円形の筒の一端から筒の他端を結ぶブリッジを設けていることを特徴とする照明装置。
【請求項４】
請求項３記載のブリッジが、前記略楕円形の筒の光導部付近から、該光導部付近と、略楕円形の焦点間の中心に対して略対称の他端とを結んでいることを特徴とする照明装置。
【発明の詳細な説明】
【０００１】
【発明の属する技術分野】
本発明は、略楕円状の照明部を有する照明装置に関する。特に、ＣＤプレーヤーやビデオデッキ等のＡＶ機器のスイッチ部を照らす照明装置に関する。
【０００２】
【従来の技術】
従来の面光源照明装置は、平面または曲面の反射板の上に一本または複数本の蛍光灯等の直線状の光源を配置し、さらに直線状の光源に対して、反射板とは反対側に拡散板を配置していた。
【０００３】
このような照明装置のうち、例えば一本の直線状の光源を用いた照明装置では、拡散板上での輝度が、光源に近い中央部が最も大で、周辺に至るに従って次第に減少する分布であって、拡散板上全体に渡って均一な分布ではなかった。
【０００４】
そこで、光源より上方に向かう光を減少させて、拡散板上の輝度が均一になされるような試みがなされてきた。
【０００５】
例えば、断面が２次曲線等をなす曲面を２つ接合した構造で、白色、灰色等の比較的反射率の低い面よりなる合成樹脂製の反射板本体と、照明装置を構成したときに、直線状の光源が位置する直下の部分を除いた部分に高反射率の金属箔または高反射率の金属によるメッキ、蒸着により形成された高反射率面を有する構造である（特許文献１参照）。この構造では、光源を２つ使っている。
【０００６】
【特許文献１】
実開平２−４１３２８号公報
【０００７】
【発明が解決しようとする課題】
従来技術では、光源が２つあるので、光源及び電源供給の為のコストが必要になり、さらにユーザーにとっても消費電力として負担が必要になる。
【０００８】
１つの光源で略楕円形状部分を照明する照明装置においては、光源と反対側の曲率半径が小さくなる長径部近傍において、略楕円筒内を通る光が略楕円筒外周部の内壁に当たる時の入射角が大きくなる為、ほとんどが筒の側面を通過して外にでてしまい、略楕円筒内側に全反射する光量が減少して暗くなり、その結果光ムラが発生するという問題もあった。
【０００９】
この発明の目的は、光源の数を増やすことなく、略楕円形状の照明装置において、光源とは反対側に位置する曲率半径が小さくなる長径部近傍においても、内側に全反射する光量が減少したり、それにより暗くなったり、光ムラが発生したりしないような照明装置を提供することにある。
【００１０】
【課題を解決するための手段】
請求項１及び請求項２に記載の本発明による照明装置は、突出陥没が可能な複数の操作キーと、前記複数の操作キーの突出陥没を案内する為の孔が設けられ、透明な成形部材によって形成される略円形の筒と、前記略円形の筒を貫通した前記複数の操作キーの突出陥没部を突出させる孔が設けられているフロントパネルと、前記略円形の筒の円周上の任意の箇所に設けられた光導部と、前記光導部の位置に設けられる光源と、からなる照明装置において、前記複数の操作キーを避けて前記略円形の筒の一端から同筒の他端を結ぶブリッジを設けていることを特徴とする。
【００１１】
特に上記ブリッジが、前記略円形の筒の光導部付近から、該光導部付近と、略円形の中心に対して略対称の他端とを結んでいることを特徴とする。
【００１２】
以上の構成により、この発明による照明装置では、光源と略円形の中心に対して略対称の箇所では、距離減衰の為、略円筒内側に全反射する光量が減少し暗くなるが、ブリッジによりこの暗くなる箇所近傍に光を補充する事が可能になる。
【００１３】
また、ブリッジのサイズや位置を調整する事で光ムラの少ない照明装置を得ることが可能になる。
【００１４】
請求項３及び請求項４に記載の本発明による照明装置は、突出陥没が可能な複数の操作キーと、前記複数の操作キーの突出陥没を案内する為の孔が設けられ、透明な成形部材によって形成される略楕円形の筒と、前記略楕円形の筒を貫通した前記複数の操作キーの突出陥没部を突出させる孔が設けられているフロントパネルと、前記略楕円形の筒の長径の一端部に設けられた光導部と、前記光導部の位置に設けられる光源と、からなる照明装置において、前記複数の操作キーを避けて前記略楕円形の筒の一端から筒の他端を結ぶブリッジを設けていることを特徴とする。
【００１５】
特に上記ブリッジが、前記略楕円形の筒の光導部付近から、該光導部付近と、略楕円形の焦点間の中心に対して略対称の他端とを結んでいることを特徴。
【００１６】
以上の構成により、この発明による照明装置では、光源とほぼ反対側の曲率半径が小さくなる長径部分において、略楕円筒内を通る光が略楕円形状の筒から出る時の入射角が大きくなる為、略楕円筒内側に全反射する光量が減少し暗くなるが、ブリッジによりこの暗くなる長径近傍に光を補充する事が可能になる。
【００１７】
また、ブリッジのサイズや位置を調整する事で光ムラの少ない照明装置を得ることが可能になる。
【００１８】
【発明の実施の形態】
本発明を用いた照明装置の実施形態について、透明な照明部材が略楕円形であり、操作キーが４つある場合の図を用いて詳細に説明する。
【００１９】
図１は照明装置の正面図、図２は照明装置の分解斜視図、図３は照明部材の正面図、図４は照明部材の裏面図である。
【００２０】
図２において、１はフロントパネル、２は操作キー案内部材、３は透明な略楕円形の照明部材、４は操作キー（４つ）、５はスイッチ基板、６は光源、７は照明部材におけるブリッジ、８は光源（６）の光を内部に導く光導部である。
【００２１】
フロントパネル（１）は、ＣＤプレーヤーやビデオデッキ等のＡＶ機器の操作パネルであり、操作キー（４）を用いて各機器を操作する。
【００２２】
操作キー案内部材（２）は必ずしも必要な構成ではなく、フロントパネル（１）に操作キー案内部材（２）にあるような複数の案内孔を開け、その下に透明な照明部材（３）を直接取り付けることも可能である。
【００２３】
透明な略楕円形の照明部材（３）がフロントパネル（１）の裏から照明するので、操作者は各操作キー（４）が何を操作するものかを、暗がりでも容易に認識できる。尚、ここでは透明な照明部材（３）の形状を略楕円形としたが、円形や長円形等、本照明装置を用いるＡＶ機器のフロントパネル（１）に合うデザインにしても構わない。
【００２４】
また、透明な照明部材（３）の楕円形に沿って縁が設けられているが、これは操作キー案内部材（２）に嵌入して双方を固定する為のものであり、操作キー案内部材（２）が無い場合には、この縁部に蓋をする形状にして、その蓋部に操作キー案内部を設けることも可能である。前記縁部にも光が通るような構造にすることも可能である。
【００２５】
操作キー（４）には４つのキーが設けられているが、本照明装置を用いるＡＶ機器の機能に応じて、キーの数を変更できる。
【００２６】
上記光源（６）には、ＬＥＤ（発光ダイオード）以外にも麦球、豆球等、電気照明具を用いることができる。
【００２７】
ブリッジ（７）は、透明な照明部材（３）と同じ材質からできており、透明な照明部材（３）の光導部（８）から略楕円に沿って進む光源（６）からの光を通過させることができる光路である。
【００２８】
図３及び図４において、９は透明な略楕円形の照明部材（３）の底面に設けられた山形の切込であり、１０は光源と略反対側の長径部分である。
【００２９】
山形の切込（９）は、透明な照明部材（３）の光導部（８）から略楕円に沿って進む光源（６）からの光を、正面方向、すなわちフロントパネル（１）側に反射させる為の放射線方向に形成する山形の切込であるが、同じ機能を持つなら、形状は特に山形に限定されない。
【００３０】
ブリッジ（７）を設けない従来の方法では、長径部分（１０）には光が届きにくく、さらに届いた場合でも外周部に対する入射角が大きいので、後述の図６のように、光が反射せず、通過してしまい、内部を照明する働きが小さかった。
【００３１】
以上の構成によれば、光導部（８）の位置に設けられる光源（６）からの光は、透明な略楕円形の照明部材（３）の光導部（８）から透明な略楕円形の照明部材（３）の周囲に設けられた光路に沿って進むとともに、ブリッジ（７）の中を進み、光源（６）と反対側の長径近傍（１０）まで進むことができ、長径近傍（１０）部の照明を補うことができるようになる。
【００３２】
上記光源（６）と、その反対側の曲率半径が小さくなる長径近傍（１０）において、略楕円筒内を通る光が略楕円筒外周部の内壁に当たる時の入射角が大きくなる為、略楕円筒内側に全反射する光量が減少し暗くなるが、ブリッジ（７）によりこの暗くなる長径近傍（１０）に光を補充する事ができる。その結果、操作パネル（１）上の各操作キー（４）を、操作パネル（１）の裏から光のムラなく照明することができるので、操作者は各キーの機能を暗がりでも容易に認識できる。
【００３３】
ブリッジ（７）の配置は、複数の操作キー（４）の配置に邪魔にならない配置であれば、特に図３や図４の形状に限定されることはなく、図５に示すパターンでも構わないが、ブリッジ（７）の両端の片方が光源（６）に近く、他方が長径部分（１０）に近い方が、よりブリッジ（７）の機能を果たし易くなることは言うまでもない。また、ブリッジ（７）のサイズ（幅）や位置を調整する事で光ムラを少なくできる。
【００３４】
図６は、光の反射と透過の関係を説明する図である。
【００３５】
透明な照明部材（３）の形状が、略楕円形の場合、光源（６）から出た光が、光導部（８）と略反対側に位置する箇所（１０）の外周部に達するまでには、略楕円筒外周部の内壁で数回反射（反射点Ａ〜反射点Ｃ）する。このとき、光が透明な略楕円形の照明部材（３）の周囲に設けられた光路の内壁（反射点Ａ〜反射点Ｃ）で反射するときの入射角（θａ  〜θｃ  ）に比べると、光導部（８）から最も離れた略反対側に位置する箇所（１０）で反射するときの入射角θｄ  は、曲率半径の関係で大きくなる為、この反射点Ｄで透過してしまう光が多く、全反射する量が減少してしまう。その減少分を補う為、前記ブリッジ（７）を必要な箇所に設ける。
【００３６】
また、透明な照明部材（３）の形状が、略円形の場合には曲率半径が一定なので、上記の問題は生じないが、光導部（８）と略反対側に位置する箇所（１０）が光導部（８）から最も遠い箇所には変わりなく、距離減衰の為、やはり反射点Ｄ（１０）での光量は少なくなってしまう。
【００３７】
【発明の効果】
この発明によれば、光源の数を増やすことなく、略楕円形状の照明装置において、光源とは反対側に位置する曲率半径が小さくなる長径部近傍においても、内側に全反射する光量が減少したり、それにより暗くなったり、光ムラが発生したりしないような照明装置を提供することが可能になる。
【図面の簡単な説明】
【図１】正面図
【図２】分解斜視図
【図３】照明部材の正面図
【図４】照明部材の裏面図
【図５】ブリッジの例を示す図
【図６】光源と略反対側の箇所（１０）で、略楕円筒外周部の内壁に当たる時の入射角大きいと、光が通過してしまうことを示す図
【符号の説明】
１−フロントパネル
２−操作キー案内部材
３−照明部材
４−操作キー
５−スイッチ基板
６−光源
７−ブリッジ
８−光導部
９−山形の形状部分
１０−光源と反対側の長径部
【図１】
2004327392.tif 000003
【図２】
2004327392.tif 000004
【図３】
2004327392.tif 000005
【図４】
2004327392.tif 000006
【図５】
2004327392.tif 000007
【図６】
2004327392.tif 000008